(57)【要約】【課題】部屋の隅部を紫外線によって防汚する。【解決手段】ＵＶＬＥＤ１を点灯すると、紫外線がガラス板３の端面からガラス板３内に入射され、ガラス板３の外面で全反射する。そして、粗面３ａに達した紫外線が該粗面３ａからガラス板３外に放射される。この放射した紫外線がパネル６に当ることにより、該パネル６の表面の光触媒が活性化し、殺菌・防カビや付着有機物の分解が行われ、防汚される。【選択図】図１
2006291618.tif 000002
【特許請求の範囲】
【請求項１】
部屋の隅を構成する部材の一部が透光性の板よりなり、該板の室内側の面を通して室内の隅部に紫外線を照射するように紫外線光源が配置されていることを特徴とする部屋の隅構造。
【請求項２】
請求項１において、前記板の室内面の少なくとも一部が粗面となっており、該板の端面から板内部に紫外線を入射させるように前記光源が配置されていることを特徴とする部屋の隅構造。
【請求項３】
請求項１又は２において、部屋の隅角を挟んだ両側に前記板が配置されていることを特徴とする部屋の隅構造。
【請求項４】
請求項３において、隅角を挟んで一方の板から他方の板へ紫外線が入射するように板が連続していることを特徴とする部屋の隅構造。
【請求項５】
請求項１ないし４のいずれか１項において、該隅部に臨む表面の少なくとも一部に光触媒が存在することを特徴とする部屋の隅構造。
【請求項６】
請求項１ないし５のいずれか１項において、前記板から出射した紫外線が室内へ拡散することを防止するための遮光板を設けたことを特徴とする部屋の隅構造。
【請求項７】
請求項１ないし６のいずれか１項において、該隅部の表面の少なくとも一部に蛍光材料又は蓄光材料が存在することを特徴とする部屋の隅構造。
【発明の詳細な説明】
【技術分野】
【０００１】
本発明は、部屋の隅構造に係り、特に紫外線により汚れを防止するように構成した部屋の隅構造に関する。
【背景技術】
【０００２】
浴室など湿度の高い部屋の隅部は、汚れが溜ったり、カビが付いたりし易い。
【０００３】
特開２００２−１３７３２４号には、ガラス板の一方の板面に光触媒層を設け、他方の板面に反射層を設け、該ガラス板の端面に紫外線ランプを対峙させ、該ランプからの紫外線を該ガラス板を通して該一方の板面に当て、光触媒を活性化させて該ガラス板表面の防汚を行うことが記載されている。
【特許文献１】特開２００２−１３７３２４号
【発明の開示】
【発明が解決しようとする課題】
【０００４】
本発明は、部屋の隅部を紫外線によって防汚することを目的とする。
【課題を解決するための手段】
【０００５】
請求項１の部屋の隅構造は、部屋の隅を構成する部材の一部が透光性の板よりなり、該板の室内側の面を通して室内の隅部に紫外線を照射するように紫外線光源が配置されていることを特徴とするものである。
【０００６】
請求項２の部屋の隅構造は、請求項１において、前記板の室内面の少なくとも一部が粗面となっており、該板の端面から板内部に紫外線を入射させるように前記光源が配置されていることを特徴とするものである。
【０００７】
請求項３の部屋の隅構造は、請求項１又は２において、部屋の隅角を挟んだ両側に前記板が配置されていることを特徴とするものである。
【０００８】
請求項４の部屋の隅構造は、請求項３において、隅角を挟んで一方の板から他方の板へ紫外線が入射するように板が連続していることを特徴とするものである。
【０００９】
請求項５の部屋の隅構造は、請求項１ないし４のいずれか１項において、該隅部に臨む表面の少なくとも一部に光触媒が存在することを特徴とするものである。
【００１０】
請求項６の部屋の隅構造は、請求項１ないし５のいずれか１項において、前記板から出射した紫外線が室内へ拡散することを防止するための遮光板を設けたことを特徴とするものである。
【００１１】
請求項７の部屋の隅構造は、請求項１ないし６のいずれか１項において、該隅部の表面の少なくとも一部に蛍光材料又は蓄光材料が存在することを特徴とするものである。
【発明の効果】
【００１２】
請求項１の部屋の隅構造によると、部屋の隅部に配置された透光性の板を通して該隅部に紫外線が照射され、該隅部を殺菌あるいは防カビして防汚することができる。
【００１３】
請求項２によると、粗面部分を介して広い範囲に紫外線を照射することができる。
【００１４】
請求項３によると、隅角を挟んだ両側部分に十分に紫外線を当てて防汚することができる。
【００１５】
請求項４によると、隅角を挟んだ一方の側にのみ紫外線光源から紫外線を入射させるようにした場合でも、紫外線を隅角の両側に十分に照射することができる。
【００１６】
請求項５によると、光触媒作用により優れた防汚作用が奏される。
【００１７】
請求項６によると、室内全体への紫外線の拡散が防止されるので、部屋内に人が居る場合でも人があびる紫外線光量が減少する。
【００１８】
請求項７によると、この隅部の蛍光又は蓄光材料が光るので、天井灯又は足許灯として利用することが可能となる。
【発明を実施するための最良の形態】
【００１９】
以下、図面を参照して実施の形態について説明する。図１〜図４はそれぞれ実施の形態に係る部屋の隅構造を示す断面図である。各図において、Ａは部屋の隅角を挟んだ一方の面を示し、Ｂは他方の面を示す。面ＡとＢの組み合わせは、壁・天井、壁・床又は壁・壁のいずれでもよい。
【００２０】
図１では、Ａ面はガラス板３と、通常の建材よりなるパネル５にて構成されている。両者の間にはパッキン４が介在されている。ガラス板３の室内面の一部にエッチング加工、サンドブラスト加工、レーザー加工などの粗面化処理により形成された粗面３ａが形成されている。
【００２１】
このガラス板３の端面のうち、隅角と反対側の面に対峙して紫外線光源としての紫外線ＬＥＤ（ＵＶＬＥＤ）１が設けられている。このＵＶＬＥＤ１は基板２に取り付けられている。
【００２２】
ガラス板３の隅角側の端面に、Ｂ面のパネル６の端部が当接している。
【００２３】
ガラス板３及びパネル５，６の室内側の面に酸化チタン等の光触媒のコーティング層が設けられている。
【００２４】
このように構成された部屋の隅構造において、ＵＶＬＥＤ１を点灯すると、紫外線がガラス板３の端面からガラス板３内に入射され、ガラス板３の外面で全反射する。そして、粗面３ａに達した紫外線が該粗面３ａからガラス板３外に放射される。この放射した紫外線がパネル６に当ることにより、該パネル６の表面の光触媒が活性化し、殺菌・防カビや付着有機物の分解が行われ、防汚される。
【００２５】
図２の実施の形態は、図１においてガラス板３の前面に遮光板１０を設けたものである。この遮光板１０は、この実施の形態ではＬ字形断面形状であり、基片側１０ａがパネル５に取り付けられ、先端片側１０ｂがガラス板３のうちパネル５側に被さっている。この遮光板１０の少なくとも内面（ガラス板３側の面）には光触媒のコーティング層が設けられている。
【００２６】
図２のその他の構成は図１と同一であり、同一符号は同一部分を示している。
【００２７】
この図２の実施の形態によっても、部屋の隅部が紫外線及び光触媒により防汚される。また、遮光板１０を設けているので、部屋内の人に直射される紫外線光量が少ない。
【００２８】
図３の実施の形態は、Ｂ面側からも紫外線を照射するようにＬ字形のガラス板１１を用いて隅部を構成したものである。このガラス板１１のＡ面及びＢ面の室内側の少なくとも一部に粗面１１ａ，１１ｂが設けられている。この実施の形態では、紫外線がガラス板１１の裏側に漏れないようにするために反射層１１ｒがガラス板１１の裏面に設けられている。ＵＶＬＥＤ１はガラス板１のＡ側及びＢ側のいずれにも設けられているが、一方のみでもよい。一方の端面のみにＵＶＬＥＤを設ける場合、他方の端面には反射層を設けるのが好ましい。
【００２９】
この実施の形態においても、ガラス板１１及び各パネル５，６の室内面に光触媒コーティング層が設けられている。
【００３０】
ＵＶＬＥＤ１を点灯することにより、粗面１１ａ，１１ｂから紫外線が放射され、部屋隅部が紫外線及び光触媒により防汚される。
【００３１】
図３ではＡ面からＢ面にかけてガラス板１１が一連一体となっており、施工が容易である。ただし、２枚のガラス板をＬ形に突き合わせて隅部を構成してもよい。
【００３２】
図３では、Ａ面とＢ面とのコーナー部（入隅部）が直角となっているが、図５，７のガラス板１１Ｒ，１１Ｒ’のように、コーナー部Ｃを湾曲させてもよい。このコーナー部Ｃの室内面も粗面よりなり、光触媒コーティング層が設けられている。なお、図７のガラス板１１Ｒ’によると、一端側のＵＶＬＥＤ１からの光がガラス板１１Ｒ’内を通って他端側にまで伝わり易く、紫外線の照射効率が良い。
【００３３】
上記実施の形態ではＵＶＬＥＤを用いているが、直管状などの紫外線ランプであってもよく、有機ＥＬなどの面状発光体であってもよい。面状発光体を用いる場合には、端面に設ける代りに、図４のようにガラス板１２の裏面の略全体に面状発光体１３を配置してもよい。このガラス板１２の室内面は粗面である必要はなく、平滑なガラス面のままであってもよい。
【００３４】
図４ではＡ面にのみガラス板１２及び面状発光体１３を設けているが、Ｂ面にもガラス板１２及び面状発光体１３を配置してもよい。図４においても遮光板を設けてもよい。
【００３５】
図６はＡ面を複層ガラス２０で構成した実施の形態を示す断面図である。
【００３６】
この複層ガラス２０は、２枚のガラス板２１，２２間にスペーサ２３を介して密閉空間を形成したものである。
【００３７】
図示は省略するが、ガラス板２１の外面（表面）には光触媒層が設けられ、ガラス板２２の外面には紫外線吸収材層が設けられている。ガラス板２１，２２の内面（裏面）には防曇用導電膜と、ＬＥＤへの通電用の導電膜が設けられている。
【００３８】
複層ガラス２０内には、Ａ面近傍のＢ面に向って紫外線を照射するようにＵＶＬＥＤ２４が設けられると共に、可視光を照射するために照明用ＬＥＤ２５が設けられている。
【００３９】
なお、Ｂ面も複層ガラスにて構成してもよい。
【００４０】
上記実施の形態では光触媒のコーティング層を設けているが、光触媒は少なくとも表面に設けられていれば足り、これに限定されるものではない。例えば、パネル５，６は、その少なくとも表面が光触媒組成の板で構成されていてもよい。
【００４１】
本発明では、隅部の表面に蓄光材料や蛍光材料を存在させてもよい。これにより、隅部を足許灯や天井灯として機能する発光部とすることができる。蓄光材料及び／又は蛍光材料と光触媒とが共存してもよい。
【００４２】
上記実施の形態ではガラス板が用いられているが、紫外線透過性を有した合成樹脂板であってもよい。本発明構造は、浴室、シャワー室などに好適であるが、これに限定されない。
【図面の簡単な説明】
【００４３】
【図１】実施の形態に係る部屋の隅構造を示す断面図である。
【図２】別の実施の形態に係る部屋の隅構造を示す断面図である。
【図３】さらに別の実施の形態に係る部屋の隅構造を示す断面図である。
【図４】異なる実施の形態に係る部屋の隅構造を示す断面図である。
【図５】さらに異なる実施の形態に係る部屋の隅構造を示す断面図である。
【図６】さらに別の実施の形態に係る部屋の隅構造を示す断面図である。
【図７】さらに異なる実施の形態に係る部屋の隅構造を示す断面図である。
【符号の説明】
【００４４】
１，２４  ＵＶＬＥＤ
３，１１，１１Ｒ，１１Ｒ’，１２，２１，２２  ガラス板
５，６  パネル
１０  遮光板
１３  面状発光体
２０  複層ガラス
２３  スペーサ
【図１】
2006291618.tif 000003
【図２】
2006291618.tif 000004
【図３】
2006291618.tif 000005
【図４】
2006291618.tif 000006
【図５】
2006291618.tif 000007
【図６】
2006291618.tif 000008
【図７】
2006291618.tif 000009